(57)【要約】
【課題】　材料の収縮にかかわらず、常時原設計上の寸法を得ることが可能で、電気導通が良く接触不良を防止可能な多接点マイクロコネクターを提供する。
【解決手段】　ベース台本体１と、差し台本体２と、複数個の第一型端子３及び複数個の第二型端子４を含む。外差し台本体の両側には複数列の端子槽が設けられ、対応的にベース台本体１の差し槽の中に差し込み可能である。この中の各該第一型端子３は、並列に該ベース台本体１の両側に嵌置され、一つのＵ字型段を含んでいる。各該第二型端子４は並列に該差し台本体２の両側に嵌め置かれ、差し台本体２を対応的に該ベース台本体１の中に差し込んだ時に、第一型端子３のＵ字型段の第二側脚３１２は弾性的に、第二型端子４のＵ字型部の第一側脚３１１に塔接して、第一電気接点を構成し、第一型端子３の末端の接脚は、弾性的に第二型端子４の末端の連接段に塔接して第二電気接点を構成する。
【選択図】　　図３
0003100562.tif 000002
【実用新案登録請求の範囲】
【請求項１】
　多接点マイクロコネクターであって、ベース台本体と、差し台本体と、複数個の第一型端子及び複数個の第二型端子を含み、
　該ベース台本体は、その上端面には縦長差し槽を凹設し、かつ該差し槽の中央に中央仕切り板を設けて、且つ該中央仕切り板の両側に、個別に複数列の端子置き槽を並列して設け、
　該差し台本体は、その両側に複数列の端子槽を並列して、該差し台本体に対応可能に該ベース台本体の差し槽の中に差し込み、
　該複数個の第一型端子は、個別に該ベース台本体の端子置き槽の中に嵌置かれ、各第一型端子はＵ字形段を含んでいて、端子置き槽の外側の受板の外に跨って、該Ｕ字形段の第一側脚の末端に、径向きに湾曲した連接脚があって、回路板に連接し、該Ｕ字形段の第二側脚の末端は弾性アームを延伸し、且つ該弾性アームの末端を上に向けて垂直で接脚を延伸し、
　該複数個の第二型端子は、各該第二型端子に各Ｕ字型部を含んで該差し台本体の端子槽の中に跨っていて、該Ｕ字型部の第一側接脚の頂端に水平に湾曲した連接部を有し、別の回路板を連接し、該Ｕ字形部の第二側接脚は一体で弾性段を連設し、尚且つ該弾性段の末端に、垂直で連接段を連伸して、該差し台本体を対応的に該ベース台本体の差し槽の中に差し込んだ時に、該第一型端子のＵ字型段の第二側脚は弾性的に該第二型端子のＵ字型部の第一側接脚に搭接して、第一電気接点を構成し、該第一型端子の末端の接脚は弾性的に該第二型端子の末端の連接段に搭接して、第二電気接点を構成することを特徴とする多接点マイクロコネクター。
【請求項２】
　該ベース台本体の各端子置き槽の外側には、個別に受板が設けられ、対応的に該第一型端子のＵ字型段に跨接していることを特徴とする請求項１に記載の多接点マイクロコネクター。
【請求項３】
　該第一型端子は、該Ｕ字形段の第一側脚は、逆刺し部を突設して、対応的に該ベース台本体の端子置き槽の中に嵌掛けていることを特徴とする請求項１に記載の多接点マイクロコネクター。
【請求項４】
　該差し台本体の各該端子槽の外側には受塊が設けられ、対応的に該第二型端子のＵ字型部に跨接していることを特徴とする請求項１に記載の多接点マイクロコネクター。
【請求項５】
　該第二型端子のＵ字型部の第一側接脚は、逆刺しを突設して、対応的に該差し台本体の端子槽の中に嵌掛けていることを特徴とする請求項１に記載の多接点マイクロコネクター。
【請求項６】
　該第二型端子の弾性段はＵ字型に成形されていることを特徴とする請求項１に記載の多接点マイクロコネクター。
【請求項７】
　該第二型端子の弾性段はＳ字型に成形されていることを特徴とする請求項１に記載の多接点マイクロコネクター。
【請求項８】
　該ベース台本体の縦長差し槽の槽面上は扣接突き止め部が設けられ、対応的に該差し台本体の外縁の定位突き止め部の上側の中に掛け込むことを特徴とする請求項１に記載の多接点マイクロコネクター。
【考案の詳細な説明】
【技術分野】
【０００１】
　本考案は、一種の多接点マイクロコネクターに関する。
【背景技術】
【０００２】
　現在電信商品に応用されているマイクロコネクターは、図１、図２に示すように、一つのベース台本体９１と、一つの差し台本体９２と、一つの第一型端子９３及び一つの第二型端子９４を含む。この中の該ベース台本体９１の両側は各別に複数列の端子置き槽９１１が並列していて、且つ各端子置き槽９１１の外側には一つの固定台９１２が設けられている。固定台９１２の中には一つの嵌槽９１２ａが貫通していて、該第一型端子９３の固定脚９３１を対応的に該固定台９１２の嵌槽９１２ａの中に嵌め込むことができるようにして、並びに該第一型端子９３の尾端接脚９３２を該端子置き槽９１１の中に延伸させる。そして該差し台本体９２は両側壁９２１を含んで、該両側壁９２１の間隔Ｈ１は該ベース台本体９１の両側固定台９１２の裏側間隔Ｈ２に等しい或いは少し小さくして、該差し台本体９２を対応的に該ベース台本体９１の中に差し込み可能とする。そして、該差し台本体９２の両側壁９２１の裏側に、各別に複数列の端子槽９２２を並列して、安定的に一つの第二型端子９４を中に嵌め込んで、該差し台本体９２をベース台本体９１の中に差し込んだ時に、該第二型端子９４の末端９４１は対応的に弾性的に該第一型端子９３の尾端接脚９３２の一側に搭接して、一つの電気接点を形成し、電気で該第一、二型端子９３、９４を導通させる。
【０００３】
　上記のマイクロコネクターは、体積が極めて小さく、長さは約５〜４０mm（容納する端子数に伴って変わる）、巾は約４mm、隣接した端子間の間隔はただ約０．５mm以下で、各一つの第一型端子９３の尾端接脚９３２はただ極めて微小なる弾性偏移量で第二型端子９４の末端９４１の外側に突き寄せて、電気導通の目的を達成する。しかし、該ベース台本体９１と該差し台本体９２は、プラスチック材料を使用しているので、製造上では常に材料の収縮によって、該ベース台本体９１の両固定台９１２の間隔H２、或いは該差し台本体９２の両側壁９２１の間隔H1は、原来設計した寸法と同じでないために、常に両者の間隔が大き過ぎる状況が発生して、該第一型端子９３の尾端接脚９３２を弾性的に該第二型端子９４の末端９４１の一側に突き寄せることができない。このために接触不良を生じる。これによって成品の不良率は上昇するので欠点になる。
【考案の開示】
【考案が解決しようとする課題】
【０００４】
　上述のように、従来のマイクロコネクターは体熱が小さいために、弾性偏移量は極めて微小で、又、プラスチック材料を使用しているので材料の収縮のために、常時原設計上の寸法を得ることができず、電気導通が悪く、同時に接触不良も容易に生じて、成品の不良率も高い欠点がある。
【０００５】
　本考案は上記の点を解決するためになされたものであり、材料の収縮にかかわらず、常時原設計上の寸法を得ることが可能で、電気導通が良く接触不良を防止可能な多接点マイクロコネクターを提供することを目的とする。
【課題を解決するための手段】
【０００６】
　上述の目的を達成するために本考案の請求項に記載の多接点マイクロコネクターは、一つのベース台本体と、一つの差し台本体と、複数個の第一型端子と、複数個の第二型端子を含む。該ベース台本体の上端面に一つの縦長差し槽があって、且つ両側に個別の複数列の端子置き槽が並列に設けられている。外差し台本体の両側には複数列の端子槽が設けられ、対応的にベース台本体の差し槽の中に差し込み可能である。該複数個の第一型端子は個別に該ベース台本体の端子置き槽の中に嵌置き、各第一型端子に一つのＵ字型段を含んでいる。該複数個の第二型端子は、個別に該差し台本体の端子槽の中に跨って置かれていて、一つのＵ字型部を含んでいる。該差し台本体が対応的に該ベース台本体の差し槽の中に差し込まれ、該第一型端子のＵ字型段の中に差し込んだ時には、該第一型端子のＵ字型段の第二側脚は弾性的に、該第二型端子のＵ字型部の第一側脚に塔接して、第一電気接点を構成する。そして該第一型端子の末端の接脚は、弾性的に該第二型端子の末端の連接段に塔接して第二電気接点を構成する。
【考案を実施するための最良の形態】
【０００７】
　以下、本考案の実施例を図面に基づいて説明する。
　図３から図９に示すように、本考案の実施例による多接点マイクロコネクターは、一つのベース台本体１と、一つの差し台本体２と、複数個の第一型端子３及び複数個の第二型端子４を含む。この中の各該第一型端子３は、並列に該ベース台本体１の両側に嵌置されている。各該第二型端子４は並列に該差し台本体２の両側に嵌め置かれていて、該差し台本体２を対応的に該ベース台本体１の中に差し込んだ時に、該第一型端子３、該第二型端子４は、多点の弾性接触になって、電信伝送の安定を増進する。
【０００８】
　図３、図４、図５に示すように、本実施例の示したベース台本体１は絶縁材料を使用したもので、その上端面は一つの縦長差し槽１１を凹設している。並びに該差し槽１１の中央には一枚の中央仕切り板１２を突設している。且つ、該中央仕切り板１２の両側には、個別に並列に複数列の端子置槽１３が設けられ、各端子置き槽１３の外側に個別に一枚の受板１３１を設けて、該第一型端子３のＵ字型段３１を跨接する。
【０００９】
　上記のベース台本体１は、その縦長差し槽１１の槽面上には最少一つの扣接突き止め部１４が設けられていて、対応的に該差し台本体２の外像の定位突き止め部２２の上側を掛け止めて、該差し台本体２を安定して該ベース台本体１の中に扣接する。
【００１０】
　本実施例により示す該差し台本体２は、絶縁材料を使用したものであって、その両側には並列に複数個の端子槽２１が設けられ、該差し台本体２を、対応的にベース台本体１の差し槽１１の中に差し込む。各該端子槽２１の外側には、一つの受塊２１１を有し、対応的に第二型端子４のＵ字型部４１に跨接して、各該第二型端子４を安定して該差し台本体２の端子槽２１の中に嵌め置くことが可能となる。
【００１１】
　本実施例の示す第一型端子３は、図５、図７に示すように、一つのＵ字型段３１を含む。これで対応的にベース台本体１の端子置き槽１３の外側受板１３１の外縁に跨接することが可能となり、該Ｕ字型段３１の第一側脚３１１の末端に径向に一つの連接脚を湾曲して一枚の回路板に連接する（図面上には表示していない）。そして、該Ｕ字型段３１の第二側脚３１２の末端は一本の弾性アーム３３を延伸し、且つ該弾性アーム３３の末端は上に向けて、径向きに一本の接脚３４を延伸し、並びに該接脚３４をベース台本体１の中央仕切り板１２に近寄らせる。
　上記の第一型端子３の該Ｕ字型段３１の第一側脚３１１には、最少一つの逆差し部３５を突設して、対応的に該ベース台本体１の端子置き槽１３の中に嵌接している。
【００１２】
　本実施例の第二型端子４は、図５、図８に示すように、一つのＵ字型段４１を含んで、該差し台本体２の端子槽２１の外側の受塊２１１の外縁に跨接して、該Ｕ字型部４１の第一側接脚４１１の頂端を水平に一つの連接部４２を湾曲して、別の一枚の回路板を連接する（図面には表示していない）。そして、該Ｕ字型部４１の第二側接脚４１２は、一体で一つの弾性段４３を連接して、尚且つ該弾性段４３の末端に垂直で一つの連接段４４を連伸する。
【００１３】
　上記の第二型端子４は、その中の該弾性段４３が、一つのＵ字型又は、Ｓ字型状であるかは、本考案はこれに対して自限をしない。別に該第二型端子４のＵ字型部４１の第一側接脚４１１は、最少一つの逆刺し４５を突設することが可能である。これによって、対応的に該差し台本体２の端子槽２１の中に嵌接する。
【００１４】
　図５に示すように、本実施例のベース台本体１と差し台本体２が分離した状況では、ベース台本体１の中に嵌入した第一型端子３は、そのＵ字型段３１の第二側脚３１２は、一つの自由段になっていて、弾性によって移動をせまることが可能である。これで、図６に示すように、該差し台本体２が、対応的に該ベース台本体１の差し槽１１の中に差し込んだ時では、該差し台本体２の上の第二型端子４は、そのＵ字型部４１の第一側接脚４１１の裏側は、該受塊２１１の阻害があるために該第一型端子３のＵ字型部３１の第二側接脚３１２は、弾性的に該第二型端子４のＵ字型部４１の第一側接脚４１１の外側に固く突き込んで、第一電気接点Ｐ１を構成する。そして、該第二型端子の末端の連接段４４は、弾性的に該第一型端子３の末端の接脚３４と塔接して、第二電気接点Ｐ２を構成する。
【００１５】
　本実施例の多接点マイクロコネクターは、上記に説明したように、該第一型端子３は、Ｕ字型部３１の第二側接脚３１２と末端の接脚３４によって弾性的に該第二型端子４の両側（即ち第二型端子４のＵ字型部４１の第一側接脚４１１及び未段の連接段４４）に包み挟んでいる。該第一型端子３及び第二型端子４は、金属板材のプレス加工で成形したものであるので、収縮する原因がない。このために製造上、寸法は非常に精確に設計可能で、該第一型端子３、第二型端子４は、有効に設計に基づいて多点的の安定した接触を生産し、不良率を下げることが可能である。又、本実施例の特徴は、該第一型端子３は包み挟み方式で、弾性的に固く第二型端子４の両側に挟んでいて、多接点のコネクターを形成している（周知のマイクロコネクターの該第一型端子は只単側の弾性で第二型端子を突き圧しているので、只単一の電気接点があるだけ）ので、本実施例は周知のマイクロコネクターよりも新鋭性及び実用性がある。
　特に強調する点は、本考案の構想、形状を一部変更した後に生じた効果、作用が本明細書と図面を含む範囲である場合は、すべて本考案の範囲と見なすべきである。
【図面の簡単な説明】
【００１６】
【図１】従来のマイクロコネクターの断面分解図である。
【図２】従来のマイクロコネクターの塔接状態の示意図である。
【図３】本考案の一実施例による多接点マイクロコネクターを示す立体図である。
【図４】本考案の一実施例による多接点マイクロコネクターの塔接状態を示す立体図である。
【図５】本考案の一実施例による多接点マイクロコネクターを示す断面分解図である。
【図６】図４の６−６方向の断面図である。
【図７】本考案の一実施例による多接点マイクロコネクターの第一型端子を示す立体図である。
【図８】本考案の一実施例による多接点マイクロコネクターの第二型端子を示す立体図である。
【図９】第４図の９−９方向の断面図である。
【符号の説明】
【００１７】
　１　ベース台本体、２　差し台本体、３　第一型端子、４　第二型端子、１１　差し槽、１２　中央仕切り板、１３　端子置き槽、１４　扣接突き止め部、２１　端子槽、２２　定位突き止め部、３１　Ｕ字型段、３２　連接脚、３３　弾性アーム、３４　接脚、３５　逆刺し部、４１　Ｕ字型部、４２　連接部、４３　弾性段、４４　連接段、４５　逆刺し、１３１　受板、２１１　受塊、３１１　第一側脚、３１２　第二側脚、４１１　第一側接脚、４１２　第二側接脚
【図１】
0003100562.tif 000003
【図２】
0003100562.tif 000004
【図３】
0003100562.tif 000005
【図４】
0003100562.tif 000006
【図５】
0003100562.tif 000007
【図６】
0003100562.tif 000008
【図７】
0003100562.tif 000009
【図８】
0003100562.tif 000010
【図９】
0003100562.tif 000011